(57)【特許請求の範囲】
【請求項１】
閉鎖配電盤に内設される複数個の単位装置と電源との間を接続する母線装置において、前記単位装置を仕切るために前記閉鎖配電盤内に取付けられた仕切板の取付位置が上下方向に移動可能に構成されており、単位装置と電源との間を接続する垂直母線の母線支えを前記仕切板に取付けたことを特徴とする閉鎖配電盤の母線装置。
【請求項２】
閉鎖配電盤に内設される複数個の単位装置と電源との間を接続する母線装置において、前記単位装置を仕切るために前記閉鎖配電盤内に取付けられた仕切板の取付位置が上下方向に移動可能に構成されており、単位装置と電源との間を接続する各垂直母線間に位置し、盤垂直方向へ指向して外箱に取付けられた母線支えを設け、この母線支えにより前記垂直母線の左右方向を支えることを特徴とする閉鎖配電盤の母線装置。
【請求項３】
閉鎖配電盤に内設される複数個の単位装置と電源との間を接続する母線装置において、前記単位装置を仕切るために前記閉鎖配電盤内に取付けられた仕切板の取付位置が上下方向に移動可能に構成されており、単位装置と電源との間を接続する各垂直母線を水平方向に貫通して外箱に取付けられた筒状の母線支えを垂直方向に複数設け、これらの母線支えに前記垂直母線の左右方向の動きを規制する突出部を設けたことを特徴とする閉鎖配電盤の母線装置。
【発明の詳細な説明】
【０００１】
【発明の属する技術分野】
本発明は、母線支えにより垂直母線を支持してなる閉鎖配電盤の母線装置に関する。
【０００２】
【従来の技術】
閉鎖配電盤等に設けられる母線装置は、主回路短絡電流により発生する電磁力に耐え得る強度を持つように構成されている。その母線装置の支持構成には、母線を一定の間隔で支持する部分支持と、母線を全長にわたって支持する等の分布支持があり選択して用いられている。
【０００３】
図１４は、上述した部分支持の従来例の母線装置の側面図である。
図１４において、５１は閉鎖配電盤の外箱で、この外箱５１内に水平母線５２と垂直母線５３が設けられ、垂直母線５３には上述した短絡電流により発生する電磁力に耐えられるよう母線支え５４が一定の間隔Ｘで支持されている。また、前面には複数のユニット室５５が形成され、このユニット室５５には、配線用遮断器や過負荷継電器等複数の機器を組み込んだ単位装置５６を収納している。
【０００４】
この単位装置後部５６ａには、垂直母線５３から電源を供給するための電源側断路器５８が設けられている。
次に図１５は図１６の断面Ｊ−Ｊから見たものであり、母線支え５４は平板の垂直母線５３を三相一括２枚で挟み込む形状をなし、外箱５１に固定された取付板６０にボルト５９により固定されている。ここで、上述のように構成された母線装置の母線支え５４の取付け位置は、単位装置５６を収納した場合、単位装置後部５６ａに取付けた電源側断路器５８が干渉しないような位置となっていなければならない。
【０００５】
【発明が解決しようとする課題】
しかしながら、上記従来の母線装置では、単位装置５６を支持する棚板５７は、その単位装置５６の大きさに応じて取付位置が上下方向に移動可能に構成されているのに対し、垂直母線５３の母線支え５４の取付けピッチＸが一定であるため単位装置５６の段積により単位装置後部５６ａに取付けの電源側断路器５８が干渉する虞れがあり、また、母線支え５４の取付け板６０等があり構成が複雑となり費用がかかるという問題があった。
本発明の目的は、ユニットの段積に関係なく垂直母線の母線支えの位置が決められ、また、安価な構成とすることができる閉鎖配電盤の母線装置を提供することにある。
【０００６】
【課題を解決するための手段】
上記目的を達成するために、第１の発明においては、閉鎖配電盤に内設される複数個の単位装置と電源との間を接続する母線装置において、前記単位装置を仕切るために前記閉鎖配電盤内に取付けられた仕切板の取付位置が上下方向に移動可能に構成されており、単位装置と電源との間を接続する垂直母線の母線支えを前記仕切板に取付けたことを特徴とする閉鎖配電盤の母線装置を提供する。（請求項１）
第２の発明では、閉鎖配電盤に内設される複数個の単位装置と電源との間を接続する母線装置において、前記単位装置を仕切るために前記閉鎖配電盤内に取付けられた仕切板の取付位置が上下方向に移動可能に構成されており、単位装置と電源との間を接続する各垂直母線間に位置し、盤垂直方向へ指向して外箱に取付けられた母線支えを設け、この母線支えにより前記垂直母線の左右方向を支えることを特徴とする閉鎖配電盤の母線装置を提供する。（請求項２）
第３の発明では、閉鎖配電盤に内設される複数個の単位装置と電源との間を接続する母線装置において、前記単位装置を仕切るために前記閉鎖配電盤内に取付けられた仕切板の取付位置が上下方向に移動可能に構成されており、単位装置と電源との間を接続する各垂直母線を水平方向に貫通して外箱に取付けられた筒状の母線支えを垂直方向に複数設け、これらの母線支えに前記垂直母線の左右方向の動きを規制する突出部を設けたことを特徴とする閉鎖配電盤の母線装置を提供する。（請求項３）
請求項１記載の閉鎖配電盤の母線装置によれば、単位装置と電源との間を接続する垂直母線の母線支えを単位装置の仕切のために盤内に取付けられ取付位置が上下方向に移動可能に構成された仕切板に取付けることにより、単位装置の段積により仕切板と同時に母線支えが移動するため単位装置に取付けた電源側断路部と干渉することなく取付けることができる。
請求項２記載の閉鎖配電盤の母線装置によれば、単位装置と電源との間を接続する各垂直母線間に位置し、盤垂直方向へ指向して外箱に取付けられた母線支えを設け、この母線支えにより垂直母線の左右方向を支えることにより、単位装置の段積による単位装置後部取付の電源側断路器と干渉することなく取付けることができる。
【０００７】
請求項３記載の閉鎖配電盤の母線装置によれば、単位装置と電源との間を接続する各垂直母線を水平方向に貫通して外箱に取付けられた筒状の母線支えを垂直方向に複数設け、これらの母線支えに垂直母線の左右方向の動きを規制する突出部を設けることにより、単位装置の段積による単位装置後部取付の電源側断路器と干渉することなく取付けることができる。
【０００８】
【発明の実施の形態】
以下、本発明の第１の実施例につき、図１乃至図４を参照しながら説明する。まず、図１は閉鎖配電盤たるコントロ−ルセンタの片面形を側面から見た断面図を示しており、外箱１の上部には水平母線２が設けられ、盤前後の中央部には水平母線２から各単位装置６に電源を供給するために設けられた垂直母線３が設けられている。また、前面には各単位装置６を収納するユニット室５があり、そのユニット室５は、棚板７（仕切板に相当）により仕切られており各単位装置６の大きさにより、その棚板７は移動可能なように取付けられている。また、棚板後部７ａには垂直母線３を短絡電流により発生する電磁力に耐えられるよう母線支え４が棚板７に合わせ取付けられている。
【０００９】
また、単位装置６には垂直母線３から電源を供給するための電源側断路器８が単位装置後部６ａに設けられており、棚板７の上を引出し可能なものとなっている。垂直母線３の母線支え４の取付方法を図２により説明する。図２は図１の断面Ａ−Ａから見たものであり、外箱１に棚板７が取付けられており、平板の垂直母線３が盤中央に配置されている。そして、母線支え４は平板の垂直母線を三相一括２枚で挟み込む形状となっている。また母線支え４は棚板後部７ａにボルト９により固定されている。
【００１０】
次に、図３はコントロ−ルセンタの両面形を側面から見た断面図を示しており、外箱１および水平母線２、垂直母線３の配置については上記図１の説明と同様であり各単位装置６を収納するユニット室５が前面および背面に設けられている。  また、母線支え４は前面の棚板および背面の棚板７に千鳥足状態で取付けられており、垂直母線３へ挿入される電源側断路器８は垂直母線３の中央部より内側で止まるようになっている。そして図４は図３の断面Ｂ−Ｂから見たものであり、前面の棚板７へは母線支え４を１枚で棚板後部７ａにボルト９により固定している。なお、背面側は、図示していないが前面と勝手違いとなっている。
【００１１】
次に、本発明の第２の実施例につき、図５乃至図８を参照しながら説明する。
まず、図５はコントロ−ルセンタの片面形を側面から見た断面図を示しており、外箱１１の上部には水平母線１２が設けられ、盤前後の中央部には水平母線１２から各単位装置１６に電源を供給するために設けられた垂直母線１３が設けられている。そして垂直母線１３を短絡電流により発生する電磁力に耐えられるよう十字形母線支え１４および平板母線支え２０が盤垂直方向へ向かって取付けられている。また、前面には各単位装置１６を収納するユニット室１５があり、そのユニット室１５は、棚板１７により仕切られており各単位装置１６の大きさにより、その棚板１７は移動可能なように取付けられている。
【００１２】
また、単位装置１６には垂直母線１３から電源を供給するための電源側断路器１８が単位装置後部１６ａに設けられており、棚板１７の上を引出し可能なものとなっている。垂直母線１３への十字形母線支え１４および平板母線支え２０の取付方法を図６、図７、図８により説明する。図７は図５の断面Ｄ−Ｄから見たものであり、外箱１１に棚板１７が取付けられており、平板の垂直母線１３が盤中央に配置されている。また、図６は図５の断面Ｃ−Ｃから見たものである。垂直母線１３は各垂直母線１３との間に配置した十字形母線支え１４と、両端の垂直母線１３を支える平板母線支え２０により固定され、十字形母線支え１４および平板母線支え２０は外箱１１にボルト１９により固定されている。そして各母線支え１４、２０は垂直母線１３の盤前後方向における中央に配置している。
【００１３】
次に垂直母線１３と各母線支え１４、２０との固定方法について図８にて説明する。なお、図８は図７のＹ部の詳細図である。
垂直母線１３に切欠部１３ａを設けその切欠部１３ａに十字形母線支え１４または平板母線支え２０を差し込むことにより、前後左右方向に移動しないようにしている。
【００１４】
次に、本発明の第３の実施例につき、図９乃至図１３を参照しながら説明する。
まず、図９はコントロ−ルセンタの片面形を側面から見た断面図を示しており、外箱３１の上部には水平母線３２が設けられ、盤前後の中央部には水平母線３２から各単位装置３６に電源を供給するために設けられた垂直母線３３が設けられている。そして垂直母線３３を短絡電流により発生する電磁力に耐えられるよう筒形母線支え３４が盤垂直方向へ向かって複数取付けられている。また、前面には各単位装置３６を収納するユニット室３５があり、そのユニット室３５は、棚板３７により仕切られており各単位装置３６の大きさにより、その棚板３７は移動可能なように取付けられている。
【００１５】
また、単位装置３６には垂直母線３３から電源を供給するための電源側断路器３８が単位装置後部３６ａに設けられており、棚板３７の上を引出し可能なものとなっている。次に垂直母線３３への筒形母線支え３４の取付方法を図１０乃至図１５により説明する。図１０は図９の断面Ｅ−Ｅから見たものであり、外箱３１に棚板３７が取付けられており、平板の垂直母線３３が盤中央に配置されている。そして筒形母線支え３４は垂直母線３３の盤前後方向における中央に配置している。また、図１１は筒形母線支え３４単体を示し突出部３４ａを設けている。図１２は図１０の断面Ｇ−Ｇから見たものである。
【００１６】
次に、垂直母線３３と母線支え３４との固定方法について説明する。
図１２（ａ）は垂直母線３３に設けた穴３３ｂに筒形母線支え３４を挿入した状態を示す。次に図１２（ｂ）は筒形母線支え３４を垂直母線３３に挿入後、筒形母線支え３４の突出部３４ａを垂直母線３３の差込部３３ａへ差込、合致した状態を示し合致した位置において、取付板４０に筒形母線支え３４をボルト３９により固定する。図１３は図１２（ｂ）の断面Ｈ−Ｈであり、垂直母線３３の差込部３３ａへ筒形母線支え３４の突出部３４ａを差し込むことにより、前後左右方向に移動しないようにしている。
【００１７】
【発明の効果】
本発明は以上の説明から明らかなように次の効果を得ることができる。
請求項１の発明によれば、垂直母線の母線支えが単位装置のスライド用の棚板後部に取付けられており、単位装置の段積により棚板と同時に母線支えが移動するため単位装置に取付けの電源側断路部と干渉することなく取付けることができる。また、両面形においては、前面および背面の棚板に交互に千鳥足状に取付けることにより母線支さえの削減が可能となり価格の低減を行なうことができる。
【００１８】
また、請求項２の発明によれば、垂直母線の各母線支えは垂直母線の盤前後方向における中央位置に配置されるため単位装置の段積による単位装置後部取付の電源側断路器と干渉することなく取付けることができる。
【００１９】
また、請求項３の発明によれば、垂直母線の筒形母線支えは垂直母線の盤前後方向における中央位置に配置されるため単位装置の段積による単位装置後部取付の電源側断路器と干渉することなく取付けることができる。
【図面の簡単な説明】
【図１】  本発明の第１の実施例を示すコントロールセンタの片面形の断面図、
【図２】  図１のＡ−Ａ断面図、
【図３】  本発明の第１の実施例を示すコントロールセンタの両面形の断面図、
【図４】  図３のＢ−Ｂ断面図、
【図５】  本発明の第２の実施例を示す図１相当図、
【図６】  図５のＣ−Ｃ断面図、
【図７】  図５のＤ−Ｄ断面図、
【図８】  係合部の詳細図、
【図９】  本発明の第３の実施例を示す図１相当図、
【図１０】  図９のＥ−Ｅ断面図、
【図１１】  筒形母線支えの詳細図、
【図１２】  図１０のＧ−Ｇ断面図、
【図１３】  図１２（ｂ）のＨ−Ｈ断面図、
【図１４】  従来例を示す図１相当図、
【図１５】  図１４のＪ−Ｊ断面図、
【符号の説明】
１、１１、３１…外箱、  ２、１２、３２…水平母線、
３、１３、３３…垂直母線、  ４、３４…母線支え、
５、１５、３５…ユニット室、  ６、１６、３６…単位装置、
７、１７、３７…棚板、  ８、１８…電源側断路器、
１４…十字形母線支え、  ２０…水平母線支え、  ３４…筒形母線支え。
【図１】
0004301614.tif 000002
【図２】
0004301614.tif 000003
【図３】
0004301614.tif 000004
【図４】
0004301614.tif 000005
【図５】
0004301614.tif 000006
【図６】
0004301614.tif 000007
【図７】
0004301614.tif 000008
【図８】
0004301614.tif 000009
【図９】
0004301614.tif 000010
【図１０】
0004301614.tif 000011
【図１１】
0004301614.tif 000012
【図１２】
0004301614.tif 000013
【図１３】
0004301614.tif 000014
【図１４】
0004301614.tif 000015
【図１５】
0004301614.tif 000016